(57)【要約】【課題】スルーホールへのプレスフィット接続端子の挿入に際して絶縁樹脂層の剥離防止やスルーホールランドの剥離防止を低コストで実現したプリント配線板を提供する。【解決手段】積層された絶縁層１２１，１２２と導体層１１１〜１１３を有し、プレスフィット接続端子Ｔ（Ｔ１，Ｔ２，・・・）を挿入するスルーホールを備えたプリント配線板において、複数のプレスフィット接続端子を挿入する複数のスルーホール１３０（１３１，１３２，・・・）がプリント配線板の所定領域に形成され、絶縁層の内部であって複数のスルーホールの間に厚さ０．２ｍｍ以上の補強層１１１を介在させている。【選択図】図１
2008244349.tif 000002
【特許請求の範囲】
【請求項１】
積層された絶縁層と導体層を有し、複数のプレスフィット接続端子を挿入する複数のスルーホールを所定領域に備えたプリント配線板であって、
前記絶縁層の内部であって前記複数のスルーホールの間に厚さ０．２ｍｍ以上の補強層を介在させたことを特徴とするプリント配線板。
【請求項２】
前記導体層の少なくとも一部は外層導体からなり、前記補強層が前記絶縁層を介して前記外層導体直下に配置されたことを特徴とする、請求項１に記載のプリント配線板。
【請求項３】
前記外層導体から前記補強層までの厚さ方向距離が０．３ｍｍ以下となっていることを特徴とする、請求項２に記載のプリント配線板。
【請求項４】
前記補強層と前記スルーホール間の当該スルーホールの径方向における距離が０．５ｍｍ以下となっていることを特徴とする、請求項１乃至請求項３の何れかに記載のプリント配線板。
【請求項５】
前記スルーホール間に介在する補強層の少なくとも一部を前記スルーホールの少なくとも一つと接続したことを特徴とする、請求項４に記載のプリント配線板。
【発明の詳細な説明】
【技術分野】
【０００１】
本発明は、積層された絶縁層と導体層を有し、プレスフィット接続端子を挿入するスルーホールを備えたプリント配線板に関する。
【背景技術】
【０００２】
近年、例えば車両に搭載される電子機器の性能が向上するに伴って搭載する部品の小型軽量化が進んでいる。そして、かかる部品の小型軽量化を達成する一手段として各モジュールを接続するコネクタの小型軽量化の要求が高まっており、このコネクタの小型軽量化の有効な手段としてプレスフィット接続構造が知られている（例えば、特許文献１及び特許文献２参照）。
【特許文献１】特開２００５−３５３５６７号公報
【特許文献２】特開２００４−２７３２５６号公報
【発明の開示】
【発明が解決しようとする課題】
【０００３】
プレスフィット接続端子を用いたいわゆるプレスフィット接続は、プリント配線板のスルーホールに特殊形状の端子を挿入するだけではんだ等の接合剤なしで電気的かつ機械的に接合できる優れた接続方法である。しかしながら、発明者らが過去の使用例について鋭意観察解析した結果、殆どの事例において以下の問題点を見出した。
【０００４】
まず、第１の問題点として、プレスフィット接続端子をプリント配線板のスルーホールに挿入した際、端子挿入口付近でスルーホールのめっき層の壁を介してプリント配線板の絶縁樹脂層に端子挿入力が加わることにより、プリント配線板の絶縁樹脂層でガラス繊維と樹脂間に亀裂が発生する点が挙げられる。
【０００５】
図７は、このガラス繊維と樹脂間の亀裂を分かり易く示した断面図であり、絶縁層５２０の内部が縦編み方向のガラス繊維５２０ａと横編み方向のガラス繊維５２０ｂとこれらの間に充填された絶縁樹脂材５２０ｃからなり、このガラス繊維内にガラス繊維の剥離（ディラミネーション）Ｄが生じているのが分かる。
【０００６】
図８は、従来のプリント配線板５にプレスフィット接続端子Ｔ（Ｔ１，Ｔ２，・・・）を挿入した状態を示しており、絶縁層５２０に所定の狭い間隔でスルーホール５３０（５３１，５３２，・・・）が形成され、上側のスルーホールランド５３０ａ（５３１ａ，５３２ａ，・・・）からプレスフィット接続端子Ｔ（Ｔ１，Ｔ２・・・）が挿入されている。
【０００７】
一方、図９は、実際に起こり得る従来例の不具合を示したもので、絶縁層５２０にスルーホール５３０（５３１，５３２，・・・）を隣接して形成した場合、プレスフィット接続端子Ｔ（Ｔ１，Ｔ２，・・・）を上側のスルーホールランド５３０ａ（５３１ａ，５３２ａ，・・・）の端子挿入口から挿入することで、絶縁層５２０のスルーホール端子挿入口近傍でガラス繊維と樹脂間の剥離Ｄが生じていることが分かる。
【０００８】
このようなプリント配線板の絶縁樹脂層でのガラス繊維と樹脂間の亀裂か生じると、高温高湿の環境下でこの亀裂の部分から吸湿してプリント配線板の絶縁抵抗を低下させる。
【０００９】
また、別の問題点として、プリント配線板のスルーホールの端子挿入口付近では、プレスフィット接続端子がスルーホールのめっき層の壁を介してガラス繊維を押し上げ、外層に形成されたスルーホールランドを剥離させる点が挙げられる。
【００１０】
なお、プレスフィット接続を行うにあたって、プレスフィット接続端子を１つのプリント配線板に単独で使用することは無くコネクタ接続に用いるために複数個使用するのが一般的である。しかしながら、この場合、隣接する端子間の距離は１ｍｍから２．５ｍｍと狭くなり、上述の問題点の不具合が顕著となる。
【００１１】
このような不具合を回避するために、従来では以下のような対策がとられている。
【００１２】
第１の対策は、例えば特許文献１や特許文献２に記載されているように、プレスフィット接続端子の構造を変更してめっき層に不均一な応力が加わらなくする対策である。
【００１３】
また、第２の対策は、端子の挿入案内部の挿入角度をなだらかにして端子挿入時にスルーホール壁面方向にかかる力を小さくしたり、プレスフィット端子の表面粗さを細かくしてスルーホールへの端子挿入時に端子とスルーホールとの摩擦を小さくしたりする等、端子とスルーホールとの間に作用する応力をできるだけ小さくする対策である。
【００１４】
また、第３の対策は、プリント配線板のスルーホールのプレスフィット接続端子挿入口近傍にテーパを設け、この端子挿入口付近でプレスフィット接続端子の当りを少なくして端子挿入力を絶縁樹脂層に分散させる対策である。
【００１５】
以上の対策をとった場合であっても、狭い間隔で形成されたスルーホールに多数のプレスフィット接続端子を圧入するプレスフィット接続においてはそれぞれの端子挿入力が相互に関係して重畳したりするため、各端子間の絶縁樹脂層には単独の端子に比較して２倍以上の応力がかかって絶縁樹脂層内におけるガラス繊維と樹脂間にやはり亀裂が発生してしまい、十分な対策とはならない。
【００１６】
このような点を踏まえて、プリント配線板の樹脂層に一般的に使われる材料よりも強度のある絶縁材料を使用することを対策としている例がある。しかしながら、このような対策は一般のプリント配線板材料に比較して高価な絶縁材料を使用することになり、プリント配線板自体のコスト高につながり適当でない。即ち、以上のようなそれぞれの試みは、本発明の課題を解決するための十分な対策となり得ていない。
【００１７】
本発明の目的は、プレスフィット接続端子の挿入に際して絶縁樹脂層の剥離防止やスルーホールランドの剥離防止を低コストで実現したプリント配線板を提供することにある。
【課題を解決するための手段】
【００１８】
上述の課題を解決するために、本発明の請求項１にかかるプリント配線板は、
積層された絶縁層と導体層を有し、複数のプレスフィット接続端子を挿入する複数のスルーホールを所定領域に備えたプリント配線板であって、
前記絶縁層の内部であって前記複数のスルーホールの間に厚さ０．２ｍｍ以上の補強層を介在させたことを特徴としている。このとき、補強層として金属コアを用いても良い。
【００１９】
本発明の請求項１にかかるプリント配線板がこのような補強層をプリント配線板の絶縁層内に有することで、プリント配線板の所定領域に形成された複数のスルーホールに複数のプレスフィット接続端子を挿入する際に生じる端子挿入力によって影響を受ける絶縁層の領域を減らし、この部分における絶縁層の剥離や絶縁層の変形に伴うスルーホールランドの剥離を極力防止する。
【００２０】
また、絶縁層内の補強層として金属コアを用いると、特別な製造工程を必要とすることなく通常のプリント配線板製造工程で本発明にかかるプリント配線板を製造することができる。
【００２１】
また、本発明の請求項２に記載のプリント配線板は、請求項１に記載のプリント配線板において、
前記導体層の少なくとも一部は外層導体からなり、前記補強層が前記絶縁層を介して前記外層導体直下に配置されたことを特徴としている。このとき、補強層は一部が外層導体直下にあれば良い。
【００２２】
補強層を絶縁層内のこのような位置に形成することで、プリント配線板の所定領域に形成された複数のスルーホールに複数のプレスフィット接続端子を挿入する際に生じる端子挿入力によって影響を受ける絶縁層の領域を更に減らし、この部分における絶縁層の剥離や絶縁層の変形に伴うスルーホールランドの剥離を極力防止する。
【００２３】
また、請求項３に記載のプリント配線板は、請求項２に記載のプリント配線板において、
前記外層導体から前記補強層までの厚さ方向距離が０．３ｍｍ以下となっていることを特徴としている。
【００２４】
外層導体から補強層までの距離をこのような寸法に規定することで、本発明の作用、即ち端子挿入力によって影響を受ける絶縁層の領域を更に減らし、この部分における絶縁層の剥離や絶縁層の変形に伴うスルーホールランドの剥離を極力防止する作用をより発揮させる。
【００２５】
また、請求項４に記載のプリント配線板は、請求項１乃至請求項３の何れかに記載のプリント配線板において、
前記補強層と前記スルーホール間の当該スルーホールの径方向における距離が０．５ｍｍ以下となっていることを特徴としている。
【００２６】
補強層とスルーホール間の間隔をこのような寸法に規定することで、プリント配線板の所定領域に形成された複数のスルーホールに複数のプレスフィット接続端子を挿入する際に、これら端子挿入力によって影響を受ける絶縁層の領域を更に減らし、この部分における絶縁層の剥離や絶縁層の変形に伴うスルーホールランドの剥離を極力防止する。
【００２７】
また、請求項５に記載のプリント配線板は、請求項４に記載のプリント配線板において、
前記スルーホール間に介在する補強層の少なくとも一部を前記スルーホールの少なくとも一つと接続したことを特徴としている。
【００２８】
補強層の少なくとも一部をスルーホールの少なくとも一部と接続することで、プリント配線板の所定領域に形成された複数のスルーホールに複数のプレスフィット接続端子を挿入する際に生じる端子挿入力によって影響を受ける絶縁層の領域を更に減らし、この部分における絶縁層の剥離や絶縁層の変形に伴うスルーホールランドの剥離を極力防止する。
【発明の効果】
【００２９】
本発明によると、スルーホールへのプレスフィット接続端子の挿入に際して絶縁樹脂層の剥離防止やスルーホールランドの剥離防止を低コストで実現したプリント配線板を提供することができる。
【発明を実施するための最良の形態】
【００３０】
以下、本発明の一実施形態にかかるプリント配線板について説明する。本発明の一実施形態にかかるプリント配線板１は、図１に示すように、補強層１１１とこれを両側から挟んで積層された絶縁層１２１，１２２と、絶縁層１２１，１２２にそれぞれ積層された導体層１１２，１１３と、プレスフィット接続端子Ｔを挿入するスルーホール１３０（１３１，１３２，・・・）を備えたプリント配線板である。そして、複数のプレスフィット接続端子Ｔ（Ｔ１，Ｔ２，・・・）を挿入する複数のスルーホール１３０がプリント配線板１の所定領域に所定間隔で形成され、絶縁層の内側であって複数のスルーホール１３０の間に厚さ０．２ｍｍ以上の補強層１１１を介在させている。ここで、補強層１１１は金属コアなお、本実施形態では、隣接するスルーホール同士の間隔は１〜２．５ｍｍとなっている。
【００３１】
より具体的には、同図に示すように、本実施形態に係るプリント配線板１の絶縁層１２１，１２２は、補強層１１１を挟む上側絶縁層１２１と下側絶縁層１２２からなり、それぞれ熱膨張係数が４５〜７０ｐｐｍのいわゆるＦＲ−４材と呼ばれる一般的なガラスエポキシ樹脂でできている。なお、図１における各絶縁層１２１，１２２の厚さは、本実施形態の場合、０．２ｍｍとなっている。
【００３２】
また、プリント配線板１の絶縁層同士で挟まれた補強層１１１は、厚さ０．２〜０．４ｍｍの圧延銅箔からなる金属コアを用いている。なお、補強層１１１と絶縁層１２１，１２２との間は、表面に公知の粗化処理を行うことによってアンカー効果を生じさせしっかりと密着している。
【００３３】
補強層１１１には、スルーホール形成用の下穴１１１ａ，１１１ｂ，・・・が明けられ、この下穴１１１ａ，１１１ｂ，・・・とスルーホール１３０の金属めっき１４０との間はプリント配線板製造の際の基板プレス時に絶縁層から流れ出た樹脂材で埋め込まれている。なお、補強層１１１の下穴１１１ａ，１１１ｂ，・・・とスルーホール１３０の金属めっき１４０との間の距離（図１におけるＡ１１，Ａ１２，・・・）は０．５ｍｍ以下となっている。
【００３４】
また、絶縁層１２１，１２２の外側には電解銅箔からなる外層導体１１２，１１３が積層されている。外層導体１１２，１１３は、公知のエッチング処理により所定の回路パターンに形成されると共に、図１に示すように、基板上下の外層導体同士がスルーホールの金属めっき１４０を介して接続している。なお、図１においては、外層導体１１２，１１３がスルーホールランド１３０a（１３１ａ，１３２ａ，・・・）として示されており、補強層１１１とスルーホール１３０の金属めっき１４０とは接続していない。
【００３５】
スルーホール１３０は、例えばプリント配線板１にコネクタ部を形成するためにプリント配線板１の所定領域に所定の間隔で多数形成され、図１に示すように多数のプレスフィット接続端子Ｔ（Ｔ１，Ｔ２，・・・）を、一方の基板面側（図１では基板上方）から各スルーホール１３０（１３１，１３２，・・・）に挿入するようになっている。
【００３６】
なお、プレスフィット接続端子挿入側の外層導体１１２の表面即ちスルーホールランド１３０ａの表面と補強層１１１のプレスフィット接続端子挿入側面との間の距離（図１におけるＢ１１，Ｂ１２，・・・）は０．３ｍｍとなっている。
【００３７】
また、スルーホール１３０（１３１，１３２，・・・）の内径は、本実施形態の場合、１．０ｍｍで、厚さ０．０５ｍｍの金属めっき１４０が施され、外径１．１ｍｍのプレスフィット接続端子をスルーホールに圧入状態で挿入するようになっている。また、スルーホール１３０のスルーホールランド１３０ａ（１３１ａ，１３２ａ，・・・）の径は、本実施形態の場合、１．６ｍｍである。
【００３８】
続いて、かかる構成を有するプリント配線板１の製造方法について説明する。図２（ａ）〜（ｉ）は、プリント配線板１の製造方法を説明するための側方断面図である。まず、図２（ａ）に示すように厚さ０．２〜０．４ｍｍの圧延銅箔からなる補強層１１１を用意し、図２（ｂ）に示すように、補強層１１１の表面と裏面とを貫通するスルーホール用の下穴１１１ａ，１１１ｂ，・・・や回路パターンをエッチング又はパンチング等により形成する。ここで、補強層１１１のスルーホール用下穴１１１ａ，１１１ｂ，・・・の穴径ｄは、スルーホール完成時にスルーホールと補強層の下穴間の距離が０．５ｍｍ以下となるような寸法とする。なお、補強層１１１の下穴形成方法については、プレス打ち抜き、ドリル加工、エッチング方法等の一般的な下穴形成方法を用いる。
【００３９】
続いて、図２（ｃ）に示すように圧延銅箔からなる金属コアを用いた補強層１１１両面を粗面化する。この補強層１１１表面に粗面を形成する方法としては、プリント配線板の製造方法で一般的に行われているように、補強層１１１表面に酸化物を形成する方法、この酸化物層の形状を維持して還元剤により金属銅に還元する方法（例えば、特許第３３９５８５４号公報参照）、又は無電解めっき又は電解めっきにより粒径の粗い金属銅を形成する方法を用いる。
【００４０】
そして、図２（ｄ）に示すように厚さ０．２ｍｍのいわゆるＦＲ−４材と呼ばれる熱膨張率が４５〜７０ｐｐｍの樹脂からなる絶縁層１２１，１２２を積層すると共に、絶縁層１２１，１２２の両面側に厚さ７０μｍの電解銅箔からなる外層導体１１２，１１３を積層し、加熱状態にしてプレス加工を施すことで、図２（ｅ）に示すようにこれらを一体化する。この際、補強層１１１のスルーホール用下穴１１１ａ，１１１ｂ，・・・として加工した部分には、積層プレス時に絶縁層１２１，１２２の樹脂が流れ込んでこの空間に樹脂材が充填される。
【００４１】
続いて、図２（ｆ）に示すように外層導体１１２，１１３を貫通するスルーホール用の貫通穴を形成する。
【００４２】
続いて、図２（ｇ）に示すようにこの貫通穴と外層導体１１２，１１３に銅めっき１４０を形成する。
【００４３】
続いて、図２（ｈ）に示すように基板両面の外層導体１１２，１１３をエッチングして回路パターンを形成する。
【００４４】
続いて、図示しないが、スルーホール用の貫通穴及び外層導体１１２，１１３にレジスト１５０を施し、スルーホール１３０が形成されたプリント配線板の製造を完了する。
【００４５】
本実施形態にかかるプリント配線板１がこのような補強層１１１をプリント配線板１の絶縁層内に有することで、補強層１１１が絶縁層内の補強層としての役目を果たし、プリント配線板１の所定領域に形成された複数のスルーホール１３０に複数のプレスフィット接続端子Ｔを挿入する際に生じる端子挿入力によって影響を受ける絶縁層の領域を減らし、この部分における絶縁層１２１の剥離や絶縁層１２１の変形に伴うスルーホールランド１３０ａの剥離を極力防止する。
【００４６】
また、金属コアを絶縁層内の補強層１１１として用いることで、特別な製造工程を必要とすることなく通常のプリント配線板製造工程で本発明にかかるプリント配線板を製造することができるようになる。また、従来のように特別なプレスフィット接続端子や十分な強度を有する高コストの絶縁材を使用する必要もない。
【００４７】
続いて、本発明の上述した実施形態に係るプリント配線板の各種変形例について説明する。なお、上述の実施形態と同等の構成については、対応する符号を付して詳細な説明を省略する。上述した実施形態の第１変形例に係るプリント配線板２は、図３に示すように、補強層２１１が絶縁層２２１，２２２を介してプリント配線板２の外層導体２１２，２１３のうち、プレスフィット接続端子挿入側の外層導体２１２の直下に配置されている。具体的には、プリント配線板２のプレスフィット接続端子挿入側の外層導体２１２からこの外層導体直下に配置された補強層２１１までの距離（図３におけるＢ２１，Ｂ２２，・・・）が０．３ｍｍより小さくなっている。また、補強層２１１の下穴２１１ａ，２１１ｂ，・・・とスルーホール２３０（２３１，２３２，・・・）の金属めっき２４０との間の距離（図３におけるＡ２１，Ａ２２，・・・）は０．５ｍｍ以下となっている。
【００４８】
第１変形例に係るプリント配線板２がこのような構成を有することで、端子挿入力によって影響を受ける絶縁層２２１の領域を更に減らし、この部分における絶縁層２２１の剥離や絶縁層２２１の変形に伴うスルーホールランド２３０ａ（２３１ａ，２３２ａ，・・・）の剥離を極力防止する作用を奏する。
【００４９】
続いて、上述した実施形態の第２変形例に係るプリント配線板３について説明する。第２変形例にかかるプリント配線板３は、図４に示すように、補強層３１１を挟む一方の絶縁層３２１に加えて、スルーホール３３０（３３１，３３２，・・・）のプレスフィット接続端子挿入側と反対側の絶縁層に３つの絶縁層３２２，３２３，３２４を介して２つの内層導体３１３，３１４が積層されている。そして、この内層導体３１３，３１４は、スルーホール３３０の金属めっき３４０により任意の組み合わせで外層導体３１２，３１５間を電気的に接続している。なお、プリント配線板３のプレスフィット接続端子挿入側の外層導体３１２からこの外層導体直下に配置された補強層３１１までの距離は、上述した第１変形例と同様に０．３ｍｍより小さくなっている。また、補強層３１１とスルーホール３１０との距離は上述の実施形態及びその第１変形例と同様である。
【００５０】
第２変形例に係るプリント配線板３がこのような構成を有していても、端子挿入力によって影響を受ける絶縁層３２１の領域を更に減らし、この部分における絶縁層３２１の剥離や絶縁層３２１の変形に伴うスルーホールランド３３０ａ（３３１ａ，３３２ａ，・・・）の剥離を極力防止する作用を奏する。
【００５１】
続いて、上述した実施形態の第３変形例に係るプリント配線板４について説明する。この第３変形例に係るプリント配線板４は、図５に示すようにスルーホール間に介在する補強層４１１が複数のスルーホール４３０（４３１，４３２，・・・）と接続した構成を有している。なお、スルーホールランド４３０（４３１ａ，４３２ａ，・・・）と補強層４１１のスルーホール端子入口側面との距離は上述した実施形態と同様である。
【００５２】
第３変形例に係るプリント配線板４がこのような構成を有することで、プリント配線板４の所定領域に形成された複数のスルーホール４３０に複数のプレスフィット接続端子Ｔ（Ｔ１，Ｔ２，・・・）を挿入する際に生じる端子挿入力によって影響を受ける絶縁層の領域を更に減らし、この部分における絶縁層の剥離や絶縁層の変形に伴うスルーホールランド４３０ａ（４３１ａ，４３２ａ，・・・）の剥離を極力防止する作用を奏する。
【００５３】
なお、この場合、補強層４１１が複数のスルーホール４３０の全てに接続している必要はなく、補強層４１１の一部が複数のスルーホール４３０の少なくとも１つと接続しているだけでも上述した作用を奏し得る。
【実施例】
【００５４】
以下、本発明の有用性を立証する評価試験行ったので、この試験結果について説明する。本発明の評価試験は、図１に対応するプリント配線板を各種製造した。具体的には補強層のスルーホールからの距離が０ｍｍ、０．３ｍｍ、０．５ｍｍ、０．７ｍｍ、１．０ｍｍとなったプリント配線板であって補強層からスルーホールまでの距離がそれぞれ異なるプリント配線板を多数製造した。なお、これらプリント配線板に共通するスペックは以下の通りとした。
【００５５】
使用したプリント配線板は、厚さ０．２ｍｍで縦弾性率が２５ＧＰａかつポアソン比が０．３であるＦＲ−４材からなるガラスエポキシ樹脂の絶縁材と、厚さ０．０７ｍｍの電解銅箔からなる外層導体を積層して構成した。また、スルーホール穴径は１．０ｍｍ、プレスフィット端子径は１．１ｍｍ、圧入代は０．１ｍｍ、スルーホールめっき厚は０．０５ｍｍ、ランド径は１．６ｍｍとした。また、プリント配線板全体の厚さは１．０５ｍｍとした。
【００５６】
そして、上述した一般的構造のプレスフィット接続端子をこれらのプリント配線板に挿入した後、これらプリント配線板について−４０℃〜１２０℃の冷熱衝撃を加えた３０００サイクルの熱衝撃試験を行い、各プリント配線板についてスルーホール近傍におけるガラスクロスの剥離の有無、外層のスルーホールランドにおける剥がれの有無について調べた。
【００５７】
図６の表１は、各プリント配線板のこの評価試験結果を示す一覧表である。このとき、補強層とスルーホール間の距離は０．３ｍｍであった。この評価試験結果から分かるように、補強層の厚さが０ｍｍつまり補強層なしのプリント配線板は、評価試験後にスルーホール近傍のガラスクロスの剥離があり、かつ外層のスルーホールランドの剥がれがあった。
【００５８】
また、補強層の厚さが０．１ｍｍのプリント配線板は、評価試験後にスルーホール近傍のガラスクロスの剥離があり、外層のスルーホールランドの剥がれが僅かにあった。
【００５９】
一方、補強層の厚さが０．２ｍｍ，０．３ｍｍ，０．４ｍｍのプリント配線板は、評価試験後にスルーホール近傍のガラスクロスの剥離がなく、かつ外層のスルーホールランドの剥がれも無かった。
【００６０】
また、図６の表２は、各プリント配線板のこの評価試験結果を示す一覧表である。このときのプリント配線板の補強層は、厚さ０．２ｍｍで縦弾性率が１１８ＧＰａかつポアソン比が０．３３である圧延銅箔からなる金属コアであった。この評価試験結果から分かるように、補強層とスルーホール間の距離が１．０ｍｍのプリント配線板は、評価試験後にスルーホール近傍のガラスクロスの剥離があり、かつ外層のスルーホールランドの剥がれがあった。
【００６１】
また、補強層とスルーホール間の距離が０．７ｍｍのプリント配線板は、評価試験後にスルーホール近傍のガラスクロスの剥離があり、外層のスルーホールランドの剥がれが僅かにあった。
【００６２】
一方、補強層とスルーホール間の距離が０．５ｍｍ，０．３ｍｍ，０ｍｍのプリント配線板は、評価試験後にスルーホール近傍のガラスクロスの剥離がなく、かつ外層のスルーホールランドの剥がれも無かった。
【００６３】
以上の評価試験結果から本発明の構成を具備したプリント配線板、即ち複数のプレスフィット接続端子を挿入する複数のスルーホールがプリント配線板の所定領域に形成され、絶縁層の内部であって複数のスルーホールの間に厚さ０．２ｍｍから０．４ｍｍの補強層を介在させ、補強層とスルーホール間の距離が０．５ｍｍ以下の構成を有したプリント配線板はプレスフィット接続端子挿入に伴う問題を解決していることが立証できた。
【００６４】
そして、評価試験による知見から、プリント配線板の複数のスルーホールにプレスフィット接続端子を複数個挿入して接続を確保する場合において、各端子を挿入するプリント配線板のスルーホールの間に銅箔等の補強層を入れて補強することにより、端子挿入時の破損を大幅に防止できることが分かった。
【００６５】
具体的には、プレスフィット接続端子用スルーホールの間に厚さ０．２ｍｍから０．４ｍｍの補強層を介在させることによりスルーホールの破損を防ぐことができた。
【００６６】
なお、補強層は、スルーホールに接続していても良く、又は、距離が０．５ｍｍ以内であれば離れていても良いことが分かった。
【００６７】
なお、補強層を端子挿入口側に片寄って配置した場合、端子挿入時におけるプリント配線板のスルーホールの破損を更に大幅に防止できると考えられる。
【００６８】
また、導体層が３層構造であっても、更に４層以上の多層構造でも補強層の厚さが０．２ｍｍから０．４ｍｍでありプレスフィット接続端子挿入側のスルーホールランドから０．３ｍｍ以内に補強層のスルーホール挿入側面が配置されていれば同様の効果を期待できる。
【００６９】
以上説明したように、本発明によるとプレスフィット接続用端子挿入時の損傷の少ない安価なプリント配線板を提供できた。
【００７０】
また、プレスフィット端子に特別な工夫をすることなしに過酷な冷熱衝撃環境に耐えられる接続を得ることができた。
【００７１】
また、特別な工程を採用すること無しにプレスフィット接続用に適したプリント配線板を製造できた。
【００７２】
なお、補強層の材質は、実施例では、金属コアとして記載したが、これに限られるものではない。ただし、補強層を金属コアとした場合は、放熱機能やグランド回路機能としても用いることができる。また、金属コアの材質としては圧延銅箔としたが、その他の銅合金、ステンレス、アルミ合金を使用しても良い。
【００７３】
また、上述の実施形態及びその変形例のように補強層として金属コアを用いる代わりにこれと等価的な廉価で強度を有する材質を補強層として用いても本発明の作用効果を生じさせることは言うまでもない。
【図面の簡単な説明】
【００７４】
【図１】本発明の一実施形態にかかるプリント配線板をこれに接続するプレスフィット接続端子と共にスルーホールの中心軸線に沿って基板厚さ方向に示した断面図である。
【図２】図１に示したプリント配線板の製造プロセスの工程図である。
【図３】図１に示した本発明の一実施形態にかかるプリント配線板の第１変形例を示す図１に対応する図である。
【図４】図１に示した本発明の一実施形態にかかるプリント配線板の第２変形例を示す図１に対応する図である。
【図５】図１に示した本発明の一実施形態にかかるプリント配線板の第３変形例を示す図１に対応する図である。
【図６】本発明の評価試験結果を示す一覧表である。
【図７】絶縁層内に生じた剥離を説明する断面図である。
【図８】従来の一実施形態にかかるプリント配線板をスルーホールの中心軸線に沿って配線板厚さ方向に示した断面図である。
【図９】図８に示した従来のプリント配線板の絶縁層に生じた不具合を示す説明図である。
【符号の説明】
【００７５】
１，２，３，４，５    プリント配線板
１１１    補強層
１１１ａ，１１１ｂ，・・・    下穴
１１２，１１３    導体層
１２１    （上側）絶縁層
１２２    （下側）絶縁層
１３０（１３１，１３２，・・・）    スルーホール
１３０ａ（１３１ａ，１３２ａ，・・・）    スルーホールランド
１４０    金属めっき
２１１    補強層
２１１ａ，２１１ｂ，・・・    下穴
２１２，２１３    外層導体
２２１，２２２    絶縁層
２３０（２３１，２３２，・・・）    スルーホール
２３０ａ（２３１ａ，２３２ａ，・・・）    スルーホールランド
２４０    金属めっき
３１１    補強層
３１２    外層導体
３１３，３１４    内層導体
３１５    外層導体
３２１，３２２，３２３，３２４    絶縁層
３３０（３３１，３３２，・・・）    スルーホール
３３０ａ（３３１ａ，３３２ａ，・・・）    スルーホールランド
３４０    金属めっき
４１１    補強層
４３０（４３１，４３２，・・・）    スルーホール
４３０ａ（４３１ａ，４３２ａ，・・・）    スルーホールランド
５２０    絶縁層
５２０ａ，５２０ｂ    ガラス繊維
５２０ｃ    絶縁樹脂材
５３０（５３１，５３２・・・）    スルーホール
５３０ａ（５３１ａ，５３２ａ，・・・）    スルーホールランド
Ｄ    剥離（ディラミネーション）
Ｔ（Ｔ１，Ｔ２・・・）    プレスフィット接続端子
【図１】
2008244349.tif 000003
【図２】
2008244349.tif 000004
【図３】
2008244349.tif 000005
【図４】
2008244349.tif 000006
【図５】
2008244349.tif 000007
【図６】
2008244349.tif 000008
【図７】
2008244349.tif 000009
【図８】
2008244349.tif 000010
【図９】
2008244349.tif 000011